(57)【要約】【課題】コイルばねが周囲の部材に当接して雑音が生じない摺動式電子部品を提供する。【解決手段】ケース１０と、ケース１０にスライド自在に設置する摺動型物４０と、摺動型物４０に取り付ける摺動子６０と、摺動子６０が摺接する導電パターン９３を設けた回路基板９０とを具備する。摺動型物４０のスライド方向Ｄに向かう両端面５９，５９に対向する位置に係止部材８０，８０を設置する。係止部材８０，８０間に引っ張りコイルばね７０を張設する。係止部材８０，８０の端面５９，５９側を向く係止面８７，８７の一部をケース１０に設けた係合部１７，１７に当接する。摺動型物４０を一方の方向にスライド移動した場合、一方の係止部材８０が係合部１７に係止した状態で、他方の係止部材８０が摺動型物４０とともにスライド移動することで引っ張りコイルばね７０が引っ張られ弾性復帰力を生じる。【選択図】図１
2006140045.tif 000002
【特許請求の範囲】
【請求項１】
固定側部材と、前記固定側部材に摺動自在に設置される操作部材と、前記操作部材の摺動によってその電気的出力を変化させる電気的機能部とを具備する摺動式電子部品において、
前記操作部材の摺動方向に向かう両端面に対向する位置に一対の可動係止部材を設置し、これら可動係止部材間に引っ張りコイルばねを張設すると同時に、これら両可動係止部材の係止面を固定側部材に設けた係合部に対向させ、
前記操作部材を一方の方向に摺動した際に一方の可動係止部材が固定側部材の係合部に係止された状態で、他方の可動係止部材が操作部材の摺動とともに移動することで引っ張りコイルばねが引っ張られて弾性復帰力を生じることを特徴とする摺動式電子部品。
【請求項２】
固定側部材と、前記固定側部材に摺動自在に設置される操作部材と、前記操作部材の摺動によってその電気的出力を変化させる電気的機能部とを具備する摺動式電子部品において、
前記操作部材の摺動方向に向かう一方の端面に対向する位置に可動係止部材を設置し、この可動係止部材と操作部材間に引っ張りコイルばねを張設すると同時に、可動係止部材の前記操作部材の端面側を向く係止面の一部を固定側部材に設けた係合部に対向させ、
前記操作部材を一方の方向に摺動した際に前記可動係止部材が固定側部材の係合部に係止された状態で引っ張りコイルばねが引っ張られて弾性復帰力を生じることを特徴とする摺動式電子部品。
【請求項３】
前記操作部材には摺動方向に向かうばね収納部が設けられており、前記引っ張りコイルばねはこのばね収納部内に収納されていることを特徴とする請求項１又は２に記載の摺動式電子部品。
【発明の詳細な説明】
【技術分野】
【０００１】
本発明は、直線方向又は回転（円周）方向に摺動する操作部材にコイルばねによる自動復帰機能を取り付けた摺動式電子部品に関するものである。
【背景技術】
【０００２】
従来スライド式電子部品の中には、スライド用のつまみや摺動型物等の操作部材と、ケース等の固定側部材との間に圧縮コイルばねを介在させ、操作部材を操作することで圧縮コイルばねを圧縮し、操作部材から手を離すことで圧縮コイルばねの弾発力によって操作部材を元の中立位置に自動復帰させるいわゆる自動復帰機構が組み込まれたスライド式電子部品がある。
【０００３】
図８（ａ），（ｂ）はこの種の圧縮コイルばねを使用した自動復帰機構の要部概略断面図である。図８（ａ）に示すようにこの自動復帰機構は、圧縮コイルばね３００を固定側部材（例えばケース）３３０と移動側部材（例えば摺動型物）３６０の間に収納して構成されている。圧縮コイルばね３００は移動側部材３６０の収納部３６１内に収納され、その両端面は収納部３６１の両端に立設する当接部３６３，３６３の当接面３６３ａ，３６３ａに当接している。当接部３６３，３６３の中央には上下方向に向かう凹状のスリット３６５，３６５（図９参照）が設けられ、そのスリット３６５，３６５の内部に固定側部材３３０の下面から垂下した平板状の押圧部３３５，３３５が挿入され、両押圧部３３５，３３５の対向する端面３３７，３３７にも圧縮コイルばね３００の両端面が当接している（当接面３６３ａ，３６３ａ間の幅寸法と端面３３７，３３７間の幅寸法は同一である）。
【０００４】
そして移動側部材３６０を矢印Ａ方向に移動すれば、図８（ｂ）に示すように、圧縮コイルばね３００が一方（右側）の当接面３６３ａと一方（左側）の端面３３７とによって圧縮され、自動復帰力が生じる。従って移動側部材３６０から手を離せば移動側部材３６０は圧縮コイルばね３００の弾発力によって図８（ａ）に示す元の位置に自動復帰する。
【０００５】
しかしながら上記従来の自動復帰機構には、以下のような問題点があった。
（１）この自動復帰機構の場合、図９（ａ）に示すように、圧縮コイルばね３００の巻き終わり端部３０１が押圧部３３５の端面３３７に当接している状態であったものが、圧縮コイルばね３００が圧縮される最中にねじれて回転して図９（ｂ）に示すようにその巻き終わり端部３０１が端面３３７から外れ、次のターンの圧縮コイルばね３００の面が端面３３７に強く衝突し、その際高い雑音を生じてしまう恐れがあった。
【０００６】
（２）圧縮コイルばね３００が圧縮された際、この圧縮コイルばね３００が圧縮方向に垂直な方向、即ち図８（ｂ）に示す矢印Ｂや矢印Ｃ方向に撓んでしまう場合があるが、その際圧縮コイルばね３００の外周側面が固定側部材３３０や移動側部材３６０に当接し、これによって雑音を生じたり、また移動側部材３６０のスライド移動時の操作感覚が悪くなったりする恐れがあった。
【特許文献１】特開２００３−１７３９０４号公報
【発明の開示】
【発明が解決しようとする課題】
【０００７】
本発明は上述の点に鑑みてなされたものでありその目的は、コイルばねが周囲の部材に当接することによって雑音を生じることのない摺動式電子部品を提供することにある。
【課題を解決するための手段】
【０００８】
本願請求項１に記載の発明は、固定側部材と、前記固定側部材に摺動自在に設置される操作部材と、前記操作部材の摺動によってその電気的出力を変化させる電気的機能部とを具備する摺動式電子部品において、前記操作部材の摺動方向に向かう両端面に対向する位置に一対の可動係止部材を設置し、これら可動係止部材間に引っ張りコイルばねを張設すると同時に、これら両可動係止部材の係止面を固定側部材に設けた係合部に対向させ、前記操作部材を一方の方向に摺動した際に一方の可動係止部材が固定側部材の係合部に係止された状態で、他方の可動係止部材が操作部材の摺動とともに移動することで引っ張りコイルばねが引っ張られて弾性復帰力を生じることを特徴とする摺動式電子部品にある。
【０００９】
本願請求項２に記載の発明は、固定側部材と、前記固定側部材に摺動自在に設置される操作部材と、前記操作部材の摺動によってその電気的出力を変化させる電気的機能部とを具備する摺動式電子部品において、前記操作部材の摺動方向に向かう一方の端面に対向する位置に可動係止部材を設置し、この可動係止部材と操作部材間に引っ張りコイルばねを張設すると同時に、可動係止部材の前記操作部材の端面側を向く係止面の一部を固定側部材に設けた係合部に対向させ、前記操作部材を一方の方向に摺動した際に前記可動係止部材が固定側部材の係合部に係止された状態で引っ張りコイルばねが引っ張られて弾性復帰力を生じることを特徴とする摺動式電子部品にある。
【００１０】
本願請求項３に記載の発明は、前記操作部材には摺動方向に向かうばね収納部が設けられており、前記引っ張りコイルばねはこのばね収納部内に収納されていることを特徴とする請求項１又は２に記載の摺動式電子部品にある。
【発明の効果】
【００１１】
請求項１，２に記載の発明によれば、操作部材の自動復帰手段として引っ張りコイルばねを用いたので、圧縮コイルばねのようにその巻き終わり端部が当接している端面から外れて次のターンの圧縮コイルばね面が前記端面に強く衝突して高い雑音を生じるというような問題は生じなくなる。
【００１２】
請求項３に記載の発明によれば、操作部材に設けたばね収納部に引っ張りコイルばねを収納したので、引っ張りコイルばねの高さが操作部材の厚み寸法内に収納され、摺動式電子部品の薄型化が図れる。
【発明を実施するための最良の形態】
【００１３】
以下、本発明の実施形態を図面に基づいて詳細に説明する。
図１は本発明の第一実施形態にかかる摺動式電子部品（以下「スライド式電子部品」という）１の分解斜視図である。同図に示すようにこのスライド式電子部品１は、固定側部材（以下「ケース」という）１０と、ケース１０の上面側に設置されるつまみ３０と、ケース１０の下面側に設置される操作部材（以下「摺動型物」という）４０と、摺動型物４０に取り付けられる摺動子６０と、摺動型物４０の下面側に設置される引っ張りコイルばね７０及び一対の同一形状の可動係止部材８０，８０と、更にその下側に配置される回路基板９０及び取付板１００とを具備して構成されている。以下各構成部品について説明する。なお図１に示す矢印Ｄを摺動型物４０の摺動方向（スライド方向）とする。
【００１４】
ケース１０は板状の合成樹脂成形品であり、その上面中央にはスライド方向Ｄに向かって直線状で平行に設置された上下に貫通する一対の開口部１１，１１が設けられ、これら一対の開口部１１，１１を設けた部分のケース１０の下面側の部分を摺動型物本体設置部１０Ａとし、その一方の側部を摺動子部設置部１０Ｂとしている。ケース１０下面の前記両開口部１１，１１の間には摺動方向Ｄに向かう一本の直線状の溝からなる摺動型物ガイド溝１３が設けられ、また両開口部１１，１１のスライド方向両端部よりもさらに外側には二本ずつ平行に設置された摺動方向Ｄに向かう二組の係止部材ガイドレール１５，１５が設けられ、また両開口部１１，１１の四隅近傍には下記する可動係止部材８０，８０の係止面８７，８７を係止する爪状の係合部１７が設けられている。各係合部１７はケース１０の下面から突出する板状の側壁１９，１９の側面からケース１０の摺動型物本体４１を設置する側に向けて突出している。係合部１７の摺動方向Ｄの幅Ｅ（図３，図４参照）は、摺動型物４０の摺動方向Ｄの幅Ｆよりも若干長く形成されている。またケース１０下面の前記摺動子部設置部１０Ｂには、摺動方向Ｄに向かう一本の直線状の摺動子部ガイドレール２１が設けられている。またケース１０下面の所定位置からは四本の係止突起２３が突出している。
【００１５】
つまみ３０は略矩形状に形成された合成樹脂成形品であり、その上面はつまみ操作部３１となっており、またその下面中央からは二本の固定用突起３３，３３が突出している。二本の固定用突起３３，３３は、それぞれ前記ケース１０の一対の開口部１１，１１に挿入される位置に設けられている。
【００１６】
図２は摺動型物４０をその上側からみた斜視図である。同図及び図１に示すように、摺動型物４０は合成樹脂の一体成形品であり、略平板状で矩形状に形成された摺動型物本体４１と、摺動型物本体４１の摺動方向Ｄに平行な一側辺から突出するアーム部４３の先端に設けられた摺動子部４５とを具備して構成されている。摺動型物本体４１の下面中央には摺動型物本体４１下面から立設する摺動方向Ｄに向かう二本のばね収納壁４６Ａの間に形成されるばね収納部４６が設けられており、またその摺動方向の両側部には前記つまみ３０の一対の固定用突起３３，３３先端を挿入する円形の貫通孔４７，４７が設けられている。摺動型物本体４１の上面中央には摺動方向Ｄに向かう一本のガイド突起４９が設けられている。またばね収納部４６の摺動方向の両端は上下に貫通して下記する可動係止部材８０の係止部８３をガイドしながら挿入する係止部挿入部５７，５７となっている。ガイド突起４９は前記ケース１０下面の摺動型物ガイド溝１３に挿入される寸法形状に形成されている。一方摺動子部４５の上面中央には摺動方向Ｄに向かう一本のガイド溝５１が設けられ、またその下面には摺動子取付用の小突起５３，５５が設けられている。
【００１７】
摺動子６０は弾性金属板製であり、平板状の基部６１の一辺から二本のアーム状の摺動子片６２，６２を突出してこれらをＵ字状に折り曲げ、その両先端を接点部６３，６３として構成されている。基部６１には二つの小孔からなる取付孔６５，６７が設けられている。
【００１８】
引っ張りコイルばね７０はその両端にリング状の引っ掛け部７１，７１を設けて構成されている。この引っ張りコイルばね７０は、前記摺動型物４０のばね収納部４６に収納できる外径寸法に形成されている。
【００１９】
可動係止部材８０は合成樹脂の一体成形品であり、摺動方向Ｄと同一面上で直交する方向に向けて長尺に伸びる柱状の基部８１と、基部８１の前記摺動型物４０側を向く面の中央から突出するコ字状に屈曲するフック状の係止部８３とを具備して構成されている。基部８１の上辺には、前記ケース１０下面の二本の係止部材ガイドレール１５，１５に係合される一対の溝８５，８５が設けられている。また両可動係止部材８０，８０の対向する側の面、即ち前記摺動型物４０の両端面５９，５９側を向く面は、これら端面５９やケース１０の係合部１７に当接する係止面８７，８７となっている。
【００２０】
回路基板９０はこの実施形態では合成樹脂フイルム９１の上面に一対の導電パターン９３，９３を平行に設置してなるフレキシブル回路基板であり、前記ケース１０の四本の係止突起２３をそれぞれ挿入する貫通孔９５（図１では二つのみ示す）を設け、さらに前記摺動型物４０下面のばね収納部４６に対向する位置に摺動方向Ｄに向かう直線状のばね挿入用貫通孔９７を設けて構成されている。導電パターン９３，９３は、スイッチパターンであってもよいし、抵抗体パターンであっても良い。スイッチパターンの場合はこのスライド式電子部品は直線上を摺動するスライド式スイッチになり、抵抗体パターンの場合は直線上を摺動するスライド式可変抵抗器になる。
【００２１】
取付板１００は硬質の金属板又は合成樹脂板からなり、前記回路基板９０の各貫通孔９５に対向する位置にこれらと同一形状の四つの貫通孔１０１を設け、また前記回路基板９０のばね挿入用貫通孔９７に対向する位置にこれとほぼ同一形状の直線状の凹部１０３を設けて構成されている。そして凹部１０３を設けたために図１では取付板１００の下面のこれに対向する部分は突出している。
【００２２】
スライド式電子部品１を組み立てるには、まず予め摺動型物４０の摺動子部４５の下面に摺動子６０の基部６１を載置し、その際基部６１の取付孔６５，６７を貫通した小突起５３，５５の先端を熱カシメして固定しておく。
【００２３】
そしてケース１０の上面につまみ３０を載置し、その際つまみ３０の固定用突起３３，３３をそれぞれケース１０の開口部１１，１１に挿入する。次にケース１０の下面側に摺動型物４０を設置し、その際つまみ３０の固定用突起３３，３３を摺動型物４０の貫通孔４７，４７に挿入し、固定用突起３３，３３の先端を摺動型物４０の下面側で熱カシメすることでつまみ３０と摺動型物４０とを一体に固定する。このとき摺動型物４０のガイド突起４９はケース１０下面の摺動型物ガイド溝１３内に収納され、ケース１０下面の摺動子部ガイドレール２１は摺動型物４０のガイド溝５１内に収納される。一体化されたつまみ３０と摺動型物４０は、開口部１１，１１内を固定用突起３３，３３が移動することで、摺動方向Ｄの方向に摺動（スライド移動）する。
【００２４】
次に引っ張りコイルばね７０の両端の引っ掛け部７１，７１にそれぞれ可動係止部材８０，８０の係止部８３，８３を引っ掛けて係止した上で、この引っ張りコイルばね７０を若干引き伸ばして摺動型物４０下面のばね収納部４６に収納する。即ち両可動係止部材８０，８０間に引っ張りコイルばね７０が張設される。このとき摺動型物本体４１の摺動方向Ｄに向かう両端面５９，５９に対向する位置に前記一対の可動係止部材８０，８０の係止面８７，８７が対向し、両可動係止部材８０，８０間が引っ張りコイルばね７０によって両者が接近する方向に弾性復帰力が働き、同時に可動係止部材８０，８０の係止部８３，８３が摺動型物本体４１の係止部挿入部５７，５７にガイドされながら挿入される。同時にこのとき両可動係止部材８０，８０の係止面８７，８７は引っ張りコイルばね７０の弾性復帰力によってケース１０の各係合部１７に当接している。このとき両可動係止部材８０，８０上面の溝８５，８５にはケース１０の係止部材ガイドレール１５，１５が挿入され、これによって両可動係止部材８０，８０はスムーズに摺動方向Ｄに向けて平行移動する。なおこの実施形態では可動係止部材８０，８０の係止面８７，８７をケース１０の係合部１７に当接させたが、その代りに係止面８７，８７は摺動型物４０の両端面５９，５９に当接させても良い。この場合は係合部１７間の幅Ｅを、摺動型物４０の幅Ｆよりも若干短く形成する。
【００２５】
次に前記ケース１０の下面側に回路基板９０と取付板１００とを設置し、回路基板９０に設けた貫通孔９５と取付板１００に設けた貫通孔１０１に、ケース１０に設けた係止突起２３を挿入し、各係止突起２３の先端を取付板１００の下面において熱カシメする。これによってスライド式電子部品１の組み立てが終了する。このとき摺動子６０の接点部６３，６３はそれぞれ回路基板９０の導電パターン９３，９３に当接している。
【００２６】
図３は回路基板９０と取付板１００とを取り付けない状態のスライド式電子部品１の裏面図である。同図に示すように摺動型物４０は、ケース１０裏面の摺動型物本体設置部１０Ａに摺動型物本体４１が設置され、またケース１０裏面の摺動子部設置部１０Ｂに摺動子部４５が設置されている。また前述のように摺動型物本体４１上面に設けたガイド突起４９（図２参照）はケース１０下面に設けた摺動型物ガイド溝１３に挿入され、同時にケース１０下面に設けた摺動子部ガイドレール２１は摺動子部４５上面に設けたガイド溝５１に挿入され、これらによって摺動型物４０全体がケース１０に対してその摺動方向Ｄに確実且つスムーズにスライド移動するようにしている。
【００２７】
一方前述のようにケース１０下面に設けた係合部１７に両可動係止部材８０の係止面８７，８７が当接することによって摺動型物４０はその中立位置に保持されている。
【００２８】
そしてつまみ３０を一方の摺動方向Ｄに向けて押圧してこれを摺動（スライド移動）すると、図４に示すようにこれと一体に摺動型物４０がスライド移動する。このとき一方（図４の右側）の可動係止部材８０はこれが係止されているケース１０の係合部１７に係止された状態で元の位置を保持し、他方の可動係止部材８０は係合部１７から引き離されて摺動型物４０の摺動とともに移動する。なお可動係止部材８０が移動する際は可動係止部材８０の一対の溝８５，８５（図１参照）がケース１０下面のガイドレール１５，１５に係合しているので、可動係止部材８０は確実に摺動方向Ｄに平行移動する。このとき引っ張りコイルばね７０は引っ張られて弾性復帰力を生じている状態になる。またこのとき摺動子６０の接点部６３，６３も回路基板９０の導電パターン９３，９３上を摺動し、これによって導電パターン９３，９３からの電気的出力を変化する。
【００２９】
つまみ３０への押圧を解除すると、前記引っ張りコイルばね７０の縮もうとする弾性復帰力によって、ケース１０の係合部１７から引き離されている側の可動係止部材８０が摺動型物４０の端面５９を摺動した方向とは逆方向に押圧し、この可動係止部材８０の係止面８７がこれに対向するケース１０の係合部１７に当接する位置まで、即ち図３に示す位置まで摺動型物４０を押し戻して（自動復帰させて）静止する。なおつまみ３０を上記と逆方向に摺動させた場合も、上記と同様である。
【００３０】
以上のように本実施形態によれば、操作部材である摺動型物４０とつまみ３０の自動復帰手段として引っ張りコイルばね７０を用いたので、前記背景技術の欄で説明した圧縮コイルばねのように、その巻き終わり端部がねじれて回転してこれが当接している端面から外れて次のターンの圧縮コイルばね面が前記端面に強く衝突して高い雑音を生じるという問題が生じない。また引っ張りコイルばね７０は圧縮コイルばねのように圧縮されないので、圧縮された圧縮コイルばねが圧縮方向に垂直な方向に撓んでその外周側面が周囲の部材に当接して雑音が生じたり、また摺動型物４０のスライド移動時の操作感覚が悪くなったりする恐れもない。
【００３１】
また操作部材である摺動型物４０に設けたばね収納部４６に引っ張りコイルばね７０を収納したので、引っ張りコイルばね７０の高さが摺動型物４０の厚み寸法内に収納され、これによってスライド式電子部品１の薄型化が図れる。その際可動係止部材８０の係止部８３を摺動型物４０の係止部挿入部５７に挿入したので、摺動型物４０と可動係止部材８０間のガイドを、係止部８３と係止部挿入部５７の係合によって行うことができる。
【００３２】
図５は本発明の第二実施形態にかかる摺動式電子部品（以下「スライド式電子部品」という）１−２の裏面図（図３に示すと同一状態を示す）である。この実施形態において、前記第一実施形態と同一又は相当部分には同一符号（但し添え字のみ異ならせている）を付してその詳細な説明は省略する。すなわちこのスライド式電子部品１−２も、固定側部材（以下「ケース」という）１０−２と、ケース１０−２の上面側に設置される図示しないつまみ（第一実施形態のつまみ３０と同一のもの）と、ケース１０−２の下面側に設置される操作部材（以下「摺動型物」という）４０−２と、摺動型物４０−２に取り付けられる摺動子６０−２と、摺動型物４０−２の下面側に設置される引っ張りコイルばね７０−２及び一つの可動係止部材８０−２と、更にその下側に配置される図示しない回路基板（第一実施形態の回路基板９０と同一のもの）及び取付板（第一実施形態の取付板１００と同一のもの）とを具備して構成されている。このスライド式電子部品１−２は、摺動型物４０−２を中立位置から一方の方向に移動すると引っ張りコイルばね７０−２の弾性復帰力によって自動的に元の位置（中立位置）に自動復帰し、他方の方向に移動するとクリック感覚をもってその移動位置に停止する機構を有するものである。
【００３３】
即ちこの実施形態において第一実施形態と相違する点は、可動係止部材８０−２を摺動型物４０−２の一方の端面５９−２側に対向する位置にのみ設置し、これによってケース１０−２に設ける係合部１７−２を、この可動係止部材８０−２を設置する側のみに設けた点と、引っ張りコイルばね７０−２の一方の引っ掛け部７１−２を前記可動係止部材８０−２の係止部８３−２に係止し、他方の引っ掛け部７１を摺動型物４０−２のばね収納部４６−２内に摺動型物４０−２と一体に設けた係止部５０−２に係止した点と、ケース１０−２下面の可動係止部材８０−２を設置しない他方の端面５９−２側に、摺動型物４０−２の他方の端面５９−２の両端に当接して摺動型物４０−２の摺動方向Ｄへの摺動を停止させる一対の移動阻止部２０−２を設けた点と、摺動型物４０−２の摺動方向Ｄに平行な一方の側面に凹凸からなるクリック係合部４４−２を設けるとともに、このクリック係合部４４−２に弾接するクリック弾接部材１１０−２をケース１０−２の下面に取り付けた点のみである。クリック係合部４４−２は、二つの凹部４４ａ−２，４４ｂ−２を有し、またクリック弾接部材１１０−２はケース１０−２の下面に固定される基部１１０ａ−２と、基部１１０ａ−２から突出するアーム部１１０ｂ−２と、アーム部１１０ｂ−２の先端に設けられて前記クリック係合部４４−２に弾接する弾接部１１０ｃ−２とを具備して構成されている。
【００３４】
すなわちこのスライド式電子部品１−２は、摺動型物４０−２の一方の端面５９−２に対向する位置に可動係止部材８０−２を設置し、この可動係止部材８０−２と摺動型物４０−２間に引っ張りコイルばね７０−２を張設すると同時に、可動係止部材８０−２の摺動型物４０−２の端面５９−２側を向く係止面８７−２の一部をケース１０−２に設けた係合部１７−２に対向させて構成されている。
【００３５】
そして摺動型物４０−２が中立位置にあるときは、図５に示すように、クリック弾接部１１０−２の弾接部１１０ｃ−２が摺動型物４０−２の１つの凹部４４ａ−２に係合していて摺動型物４０−２はこの位置に保持されている。摺動型物４０−２を一方の方向（可動係止部材８０−２を設置していない方向）に摺動した際は、クリック弾接部１１０−２の弾接部１１０ｃ−２が摺動型物４０−２の凹部４４ａ−２から外れることでクリック感覚を生じながら、図６に示すように、可動係止部材８０−２の係止面８７−２がケース１０−２の係合部１７−２に係止された状態で引っ張りコイルばね７０−２が引っ張られて弾性復帰力を生じる。従って前記摺動型物４０−２から手を離せば、引っ張りコイルばね７０−２の弾性復帰力によって摺動型物４０−２は前記摺動したのと逆方向に移動し、図５に示す中立位置に自動復帰する。
【００３６】
一方摺動型物４０−２をその中立位置から前記とは逆方向（可動係止部材８０−２を設置している方向）に摺動した際は、クリック弾接部１１０−２の弾接部１１０ｃ−２が摺動型物４０−２の凹部４４ａ−２から外れることでクリック感覚を生じながら、図７に示すように、摺動型物４０−２は可動係止部材８０−２とともに移動し、摺動型物４０−２の当接部４０１−２がケース１０−２の係合部１７−２に係止され、同時に弾接部１１０ｃ−２がもう１つの凹部４４ｂ−２に係合することで停止する。そして摺動型物４０−２をこの位置から前記とは逆方向（可動係止部材８０−２を設置していない方向）に向けて摺動した際は、弾接部１１０ｃ−２が凹部４４ｂ−２から外れてクリック感覚を生じ、再び凹部４４ａ−２に係合することで、図５に示す中立位置に停止する。
【００３７】
この実施形態の場合も、操作部材である摺動型物４０−２と図示しないつまみの自動復帰手段として引っ張りコイルばね７０−２を用いたので、前記背景技術の欄で説明した圧縮コイルばねのように、その巻き終わり端部がねじれて回転してこれが当接している端面から外れて次のターンの圧縮コイルばね面が前記端面に強く衝突して高い雑音を生じるという問題が生じない。また引っ張りコイルばね７０−２は圧縮コイルばねのように圧縮されないので、圧縮された圧縮コイルばねが圧縮方向に垂直な方向に撓んでその外周側面が周囲の部材に当接して雑音が生じたり、また摺動型物４０−２のスライド移動時の操作感覚が悪くなったりする恐れもない。
【００３８】
また操作部材である摺動型物４０−２に設けたばね収納部４６−２に引っ張りコイルばね７０−２を収納したので、引っ張りコイルばね７０−２の高さが摺動型物４０−２の厚み寸法内に収納され、これによってスライド式電子部品１−２の薄型化が図れる点も第一実施形態と同様である。
【００３９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では本発明を操作部材が直線上を摺動するスライド式電子部品に適用した例を示したが、操作部材が円周上を摺動する回転式電子部品（回転式スイッチや回転式可変抵抗器等）に適用しても良い。この場合、回転（円周）方向に摺動する回転型物（操作部材）を引っ張りコイルばねによって所定の位置に自動復帰させるように構成する。即ち要は、ケース１０等の固定側部材と、前記固定側部材に摺動自在に設置される摺動型物４０等の操作部材と、前記操作部材の摺動によってその電気的出力を変化させる摺動子６０等の電気的機能部とを具備する摺動式電子部品であれば、どのような摺動式電子部品であっても良い。
【００４０】
上記実施形態では摺動型物４０の摺動によって摺動型物４０に取り付けた摺動子６０を回路基板９０上に設けた導電パターン９３上に摺接させることでその電気的出力を変化させることで電気的機能部を構成したが、本発明はこのような構造の電気的機能部に限られず、例えば摺動型物４０に押圧部を設けてこれが摺動した際に押圧部に対向する位置に設置したスイッチの押釦を押圧してそのスイッチをオンオフするような電気的機能部など、他の種々の構造の電気的機能部であっても良い。要は摺動型物の摺動によってその電気的出力を変化させる電気的機能部であればよい。
【００４１】
また上記実施形態ではケース１０を固定側部材としこれに係合部１７を設けたが、別の部材を固定側部材としてこれに係合部を設けても良い。また上記実施形態では摺動型物４０を操作部材としたが、つまみ等の他の部材を操作部材としても良い。
【図面の簡単な説明】
【００４２】
【図１】本発明の一実施形態にかかるスライド式電子部品１の分解斜視図である。
【図２】摺動型物４０を上側からみた斜視図である。
【図３】回路基板９０と取付板１００とを設置していない状態のスライド式電子部品１の裏面図である。
【図４】スライド式電子部品１の動作説明図である。
【図５】本発明の第二実施形態にかかるスライド式電子部品１−２の裏面図（図３に示すと同一状態を示す）である。
【図６】スライド式電子部品１−２の動作説明図である。
【図７】スライド式電子部品１−２の動作説明図である。
【図８】従来の自動復帰機構の要部概略断面図である。
【図９】従来の自動復帰機構の問題点説明図である。
【符号の説明】
【００４３】
１  スライド式電子部品（摺動式電子部品）
１０  ケース（固定側部材）
１０Ａ  摺動型物本体設置部
１０Ｂ  摺動子部設置部
１１  開口部
１３  摺動型物ガイド溝
１５  係止部材ガイドレール
１７  係合部
２１  摺動子部ガイドレール
３０  つまみ
４０  摺動型物（操作部材）
４１  摺動型物本体
４５  摺動子部
４６  ばね収納部
４９  ガイド突起
５１  ガイド溝
５７  係止部挿入部
５９  端面
６０  摺動子（電気的機能部）
７０  引っ張りコイルばね
７１  引っ掛け部
８０  可動係止部材
８１  基部
８３  係止部
８７  係止面
９０  回路基板（電気的機能部）
９１  合成樹脂フイルム（電気的機能部）
９３  導電パターン（電気的機能部）
１００  取付板
１−２  スライド式電子部品（摺動式電子部品）
１０−２  ケース（固定側部材）
１７−２  係合部
４０−２  摺動型物（操作部材）
５９−２  端面
６０−２  摺動子（電気的機能部）
７０−２  引っ張りコイルばね
８０−２  可動係止部材
８７−２  係止面
【図１】
2006140045.tif 000003
【図２】
2006140045.tif 000004
【図３】
2006140045.tif 000005
【図４】
2006140045.tif 000006
【図５】
2006140045.tif 000007
【図６】
2006140045.tif 000008
【図７】
2006140045.tif 000009
【図８】
2006140045.tif 000010
【図９】
2006140045.tif 000011